(57)【要約】【課題】受け入れたボールの勢いで変形した捕球袋の形状修正の操作を行わなくても常に捕球袋の捕球口がほぼ所要形状を保持することができ、捕球袋の交換を容易、且つ迅速に行えるようにしながらも捕球袋を保持するフレームをグリップに強固に連結できる構成を備えた球技用捕球用具を提供する。【解決手段】捕球袋１は、ボール４４を受け入れる捕球口５における少なくともグリップ４の延長上の個所が保形フレーム２に固定され、保形フレーム２における取付筒部８，９が取り付けられる個所に位置規制凹部１９，２０がそれぞれ形成され、各位置規制凹部１９，２０が、捕球袋１内に入るボール４４の勢いによる力を受けたときに各取付筒部８，９に対し摺動しながら変位するのを許容し、且つ元に戻ったときに妄りに動かない程度の位置規制力を作用させることのできる深さに形成されている。【選択図】              図１
2004329674.tif 000002
【特許請求の範囲】
【請求項１】
捕球袋におけるボールを受け入れる捕球口に沿って複数の取付筒部が間隔を存して設けられ、前記各取付筒部にそれぞれ挿通された環状の保形フレームによって前記捕球口が環状に保持され、前記保形フレームの両端部がほぼ平行に延びてなる一対の連結フレーム部がグリップに連結されてなる球技用捕球用具において、
前記捕球袋は、前記捕球口における少なくとも前記グリップの延長上の個所が前記保形フレームに固定されてなる固定部を有するとともに、前記捕球口における前記固定部の両側に前記取付筒部がそれぞれ形成され、
前記保形フレームにおける前記取付筒部が取り付けられる個所に位置規制凹部がそれぞれ形成されており、この各位置規制凹部が、前記捕球袋内に入るボールの勢いによる力を受けたときに前記各取付筒部に対し摺動しながら変位するのを許容し、且つ元に戻ったときに妄りに動かない程度の位置規制力を作用させることのできる深さに形成されていることを特徴とする球技用捕球用具。
【請求項２】
グリップは、保形フレームの一対の連結フレーム部を挟み込んだ状態で互いにねじ結合されることによって前記両連結フレーム部に固着された一対のグリップ半体を有し、このグリップ半体が、前記連結フレーム部の係合部に係合して前記連結フレーム部の抜脱を防止する係止部を有している請求項１に記載の球技用捕球用具。
【発明の詳細な説明】
【０００１】
【発明の属する技術分野】
本発明は、主として、幼児や婦女子あるいは老人や身体障害者などが特に練習することなしに気軽に楽しめる球技、例えば、超軟質ボールを用いた野球やソフトボールなどの球技に好適に用いることができる球技用捕球用具に関するものである。
【０００２】
【従来の技術】
野球やソフトボールなどの球技においては、ボールを打つためのバットと、守備において打球や他の野手からの送球を捕球するためのグローブやミットなどの捕球用具が必要であり、この捕球用具としては皮革製のものが現在主流となっている。これらの球技は、我が国において最も人気のあるスポーツの一つであるが、そのゲームは比較的ハードであるために、危険防止や技術向上のために十分な熟練が必要であり、幼児、老人、婦女子あるいは身体障害者などには馴染み難いものになっている。
【０００３】
そこで、もっと気軽に楽しめるソフトな球技が望まれており、これに対応するために、本件出願人は、例えば発泡ポリウレタン製の超軟質ボールを用いて安全性を一挙に高めた球技を行うのに適した球技用捕球用具を提案している（例えば、特許文献１参照）。
【０００４】
この球技用捕球用具は、捕球袋の捕球口に沿って設けられた筒状の袋部にフレームを通して捕球口を環状に支持し、且つフレームに外向きのグリップを連結した構成を有している。
【０００５】
【特許文献１】
特開平２０００−２５４２６９号公報
【０００６】
【発明が解決しようとする課題】
上述の球技用捕球用具は、グリップを片手で把持して捕球口を打球や送球の球筋に向けて構えるだけで、既存のグラブやミットのようにタイミングよく閉じるような操作を行うことなしに，グリップを把持した手の直ぐ先で捕球袋内にボールを実感よく球を受入れ、且つ既存のグラブやミットに比し十分にソフトな捕球袋内にボールをこれの勢いを吸収して反発なく安定に捕球することができるものである。したがって、この球技用捕球用具は、安全性の高い発泡ポリウレタン製などの超軟質ボールと組み合わせることにより、幼児や婦女子などが特に練習しなくても可能な球技やゲームを容易に行うことができる顕著な効果を奏するものである。
【０００７】
ところが、上記球技用捕球用具には改善の余地が残存している。すなわち、上記球技用捕球用具では、上述のような球技を容易に行うことを目的として、捕球袋が、打球や送球によるボールの勢いを吸収して反発なく安定に捕球できるように保持されている構成とする必要があることから、捕球袋がこれの捕球口に沿った個所に間隔を存して設けられた複数の袋部に通されたフレームによって環状に保持されているので、捕球袋内に受け入れたボールの勢いで袋部がフレームに沿って摺動しながら変位するのに伴い捕球袋が変形すると、捕球袋がその変形された形状のままとなるので、つぎに、捕球するまでの間に捕球袋を元の形状に戻す操作を行わなければならず、この形状を元に戻す煩雑な操作を捕球する毎に行う必要があり、これが使い勝手の悪いものにしている。
【０００８】
また、捕球袋は、ソフトな生地を素材として形成する必要があることから、超軟質ボールであってもこれを何度も受け入れていると損傷や劣化が生じて取り替えなければならない。その取り替えに際しては、フレームをグリップから外して、そのフレームを捕球袋の袋部から抜脱し、新たな捕球袋の袋部にフレームを通して、そのフレームの両端部をグリップに連結する手順で行うことになる。したがって、フレームは、グリップに対し容易に着脱できるとともにグリップに対し抜脱不能な状態に確実に連結されなければならないが、上記球技用捕球用具では、上述のような構造に関して十分に考慮されているとは言い難いものであり、未だ改善の余地が残存している。
【０００９】
そこで、本発明は上記従来の課題に鑑みてなされたもので、受け入れたボールの勢いで変形した捕球袋の形状修正の操作を行わなくても常に捕球袋の捕球口がほぼ所要形状を保持することができ、捕球袋の交換を容易、且つ迅速に行えるようにしながらも捕球袋を保持するフレームをグリップに強固に連結できる構成を備えた球技用捕球用具を提供することを目的とするものである。
【００１０】
【課題を解決するための手段】
上記目的を達成するために、本発明に係る球技用捕球用具は、捕球袋におけるボールを受け入れる捕球口に沿って複数の取付筒部が間隔を存して設けられ、前記各取付筒部にそれぞれ挿通された環状の保形フレームによって前記捕球口が環状に保持され、前記保形フレームの両端部がほぼ平行に延びてなる一対の連結フレーム部がグリップに連結されてなるものにおいて、前記捕球袋が、前記捕球口における少なくとも前記グリップの延長上の個所が前記保形フレームに固定されてなる固定部を有するとともに、前記捕球口における前記固定部の両側に前記取付筒部がそれぞれ形成されてなり、前記保形フレームにおける前記取付筒部が取り付けられる個所に位置規制凹部がそれぞれ形成されており、この各位置規制凹部が、前記捕球袋内に入るボールの勢いによる力を受けたときに前記各取付筒部に対し摺動しながら変位するのを許容し、且つ元に戻ったときに妄りに動かない程度の位置規制力を作用させることのできる深さに形成されていることを特徴としている。
【００１１】
この球技用捕球用具では、捕球袋が、固定部を介して保形フレームに固定されて捕球口が型崩れしないように確実に保持されていながら、固定部の両側の取付筒部が保形フレームに沿って或る程度自由に動くことが可能になっているので、捕球袋が、捕球口から受け入れるボールの球筋に対応して両側の取付筒部が保形フレームに沿って滑りながら変位することにより、ボールを受け止め易い形状に変形するにも拘わらず、向きが互いに逆の球筋のボールの受け入れを繰り返すことにより、使用時において両側の取付筒部が両側の位置規制凹部内に自然と納まるように或る程度の位置規制がなされるので、捕球袋の変形をその都度修正する操作を行わなくても、捕球袋が常にほぼ適正な形状を保持する。これにより、捕球袋の捕球口は、使用するボールの形状に対し比較的大きく設定して受け入れ確率を高めるようにしても、反発によるボールの飛び出しが生じず、捕球確率が向上する。
【００１２】
上記発明において、グリップは、保形フレームの一対の連結フレーム部を挟み込んだ状態で互いにねじ結合されることによって前記両連結フレーム部に固着された一対のグリップ半体を有し、このグリップ半体が、前記連結フレーム部の係合部に係合して前記連結フレーム部の抜脱を防止する係止部を有している構成を備えていることが好ましい。
【００１３】
この構成によれば、捕球袋を保持する保形フレームが、容易に分解および組み立てできるグリップに対し挟み込まれる形態で、且つ確実な抜け止め状態で強固に連結されるので、捕球袋の交換作業を極めて簡単な作業で迅速に行うことができる。
【００１４】
【発明の実施の形態】
以下、本発明の好ましい実施の形態について図面を参照しながら説明する。図１は本発明の一実施の形態に係る球技用捕球用具の一部破断した斜視図、図２はその球技用捕球用具の一部破断した側面図、図３はその球技用捕球用具の一部破断した平面図である。この球技用捕球用具は、発泡ポリウレタンなどで形成された超軟質ボールを捕球するためのものであり、その構成を大別すると、超軟質ボールを受け入れる捕球袋１と、この捕球袋１の捕球口５を環状形状に保持する保形フレーム２と、この保形フレーム２に対して捕球袋１の捕球口５を保持するための環状形状の一部を補完する補助フレーム３と、保形フレーム２および補助フレーム３の各々の両端部が強固に連結されたグリップ４とを備えて構成されている。
【００１５】
上記捕球袋１は、図３に明示するように、各１枚ずつの帯状布１１と矩形状布１２を互いに直交するよう配置して、その帯状布１１と矩形状布１２との交差部分を互いに縫い合わされた縫合部１３によって帯状布１１と矩形状布１２とを相互に結合して形成されている。これら帯状布１１および矩形状布１２は、超軟質ボールに馴染みのよい生地、例えばネット生地または織り生地を素材として形成されている。これらの生地は、目の詰まった生地に比較して、空気抵抗を軽減するよう適当な通気性を有しているので、超軟質ボールを受け止めるのに好適である。
【００１６】
帯状布１１の前端部（図２および図３における右端部）には、図２に明示するように二つ折りした布片を縫い合わせて筒状とした前側取付筒部７が設けられているとともに、帯状布１１の後端部（図２および図３における左端部）には、帯状布１１の端部を折り返して筒状に縫い合わせた後側取付筒部１０が形成されている。一方、矩形状布１２は、前後方向（図２および図３の左右方向）における中央部に左右方向に延びる細長い孔形状の通気部１４が設けられている。この矩形状布１２の両端部には、折り返した端部を筒状に縫い合わせた左側および右側取付筒部８，９が形成されている。なお、帯状布１１および矩形状布１２の各々の両側縁部および通気部１４の周縁部には、二つ折りした補強布１７がそれぞれ縫合されて、強度の補強が図られている。
【００１７】
捕球袋１は、上記の前側取付筒部７、左側取付筒部８、右側取付筒部９および後側取付筒部１０が、捕球口５に沿って各々の間に間隔を設けた配置で形成されており、前側取付筒部７、左側取付筒部８および右側取付筒部９にそれぞれ通された環状の保形フレーム２と、後側取付筒部１０に通された環状の補助フレーム３とにより、捕球口５が環状形状に保持されている。この捕球袋１は、単純な平面形状の帯状布１１および矩形状布１２の組み合わせによって所定の袋形状を満足しながら、帯状布１１と矩形状布１２との各隣接部間に通気用の空間部を形成していることにより、弾み易くて捕球し難い超軟質ボールをその反発力を効果的に吸収して受け止めることができる。
【００１８】
上記保形フレーム２および補助フレーム３は、共に合成樹脂によって環状形状に成形された樹脂成形品であって、或る程度の可撓性を有している。保形フレーム２は、捕球袋１に予め形成された各筒部７〜９に挿通できる矩形の断面形状を有しており、捕球袋１の捕球口５を環状に保持する保持フレーム部２ａと、両端部分が互いにほぼ平行に延びて形成された後述の一対の連結フレーム部２ｂ，２ｃとを有している。
【００１９】
上記保持フレーム部２ａには、捕球袋１の前側取付筒部７を嵌まり込ませてこれを動かないように位置規制する拘束凹部１８と、左側取付筒部８および右側取付筒部９に対し受け止めたボールの勢いによる力が加わった場合にこれの動きを許容するとともに力が加わらない場合にこれが妄りに動かない程度に軽く位置規制する左側および右側位置規制凹部１９，２０が形成されている。すなわち、捕球袋１の前側取付筒部７は、保形フレーム２を圧入状態に挿入させる比較的小さな断面形状に形成され、且つ捕球袋１の左側および右側取付筒部８，９は保形フレーム２を遊挿できる比較的大きな断面形状に形成されている。また、この実施の形態では、拘束凹部１８および左右両側の各位置規制凹部１９，２０の各々の両端個所に、対応する取付筒部７，８，９の動きを規制するための鋸歯形状の位置規制凹凸部１８ａ，１９ａ，２０ａがそれぞれ形成されている。
【００２０】
図４は、上記球技用捕球用具におけるグリップ４部分の分解斜視図を示す。同図において、保形フレーム２における一対の連結フレーム部２ｂ，２ｃには、相対向する内面部分に、係合凹所２１，２２がそれぞれ形成されている。一方、グリップ４は、これの外体を二つ割りした形状の一対のグリップ半体２３，２４と、これらグリップ半体２３，２４に対しこれの嵌合孔２３ａ，２４ａにそれぞれ嵌合して固定される一対の固定具２７，２８と、蓋片２９とを備えて構成されている。一対の固定具２７，２８は共に同一形状であり、一対のグリップ半体２３，２４は、一方のグリップ半体２３に固定ボルト３０の挿通孔部３１が形成され、他方のグリップ半体２４にその固定ボルト３０を挿通させる円筒ボス３２が形成されている構成のみが相違するだけであり、その他の形状は同一である。
【００２１】
図５はグリップ４における一方のグリップ半体２３を除外して示した平面図である。グリップ半体２４は、一端部に、保形フレーム２の一対の連結フレーム部２ｂ，２ｃおよび補助フレーム３の一部が嵌入される平面視Ｙ形状の導入部３３を有し、他端部に端壁３４が形成されている。他方のグリップ半体２３にも同様の導入部３３および端壁３４が形成されている。また、グリップ４の部分の切断平面図である図６（ａ）およびこの（ａ）のＡ−Ａ線断面図である同図（ｂ）に示すように、一対のグリップ半体２３，２４には、相互に嵌合する段差部３７，３８が各々の周縁部に沿って形成されている。また、各々の端壁３４には係止孔３９が穿設されている。
【００２２】
図６に示すように、一対の固定具２７，２８には、対応するグリップ半体２３，２４の嵌合孔２３ａ，２４ａに挿入する外面側に環状の係止段部２７ａ、２８ａが形成されており、一対の固定具２７，２８は、係止段部２７ａ，２８ａに対し外方側の突出部分が嵌合孔２３ａ，２４ａ内に嵌入した状態で、係止段部２７ａ，２８ａが嵌合孔２３ａ，２４ａの内面側孔縁部に当接することにより、グリップ半体２３，２４に着脱される。両固定具２７，２８の相対向面の中央部には、断面正方形状の角筒リブ２７ｂ，２８ｂが突設されており、この両角筒リブ２７ｂ，２８ｂの対向両側部には、図６（ａ）に示すように、保形フレーム２の連結フレーム部２ｂ，２ｃの係合凹所２１，２２がそれぞれ係合する。また、図４に示すように、固定具２７，２８には、補助フレーム３の一部を導き入れる導入溝部４０が各々の一端部に形成されている。
【００２３】
上記保形フレーム２とは別体に設けられた補助フレーム３は、図６（ａ）に明示するように、ゴムチューブ４２に挿通してこのゴムチューブ４２により全体が被覆された状態で、捕球袋１の後側取付筒部１０内に挿通して、一端部に形成された取付部３ａに挿入した他端部をかしめ加工して両端が互いに連結されていることにより、環状形状に形成されている。したがって、補助フレーム３は、ゴムチューブ４２によって後側取付筒部１０を動かないように位置規制した状態に保持する。この補助フレーム３は、図５に示すように、一方のグリップ半体２４の円筒ボス３２に引っ掛けるように配置して抜け止めされた状態でＹ字状の導入部３３内に挿入され、相互に合体される両グリップ半体２３，２４により一対の固定具２７，２８を介して挟持固定されている。
【００２４】
上記球技用捕球用具は、上述のように保形フレーム２と補助フレーム３とを備え、保形フレーム２によって図３に示すような滑らかな外形およびグリップ４との連結に適した形状並びに形態を持ちながら、捕球袋１のグリップ４の近傍個所では、補助フレーム３によって保形フレーム２による形状に拘束されないで、捕球した超軟質ボールなどをグリップ４側に受け止めて送球に備えるなどし易い捕球口５の形状を形成している。また、補助フレーム３は、図３に示すように、グリップ４との間に位置する指通し孔４３を形成しており、これにより、この球技用捕球用具は、グリップ４を把持している手の人指し指を指通し孔４３に掛けることによって、人指し指で捕球袋１がグリップ４から延びている方向や範囲を実感し易く、球筋に対して捕球袋１の捕球口５の位置や向きを適正に捌き易いものとなり、グリップ４を５指で握っている場合に比し、捕球し易くなる。さらに、補助フレーム３は指通し孔４３に通した人指し指を捕球袋１へ捕球するボールから隔絶して保護する役目も果たす。
【００２５】
上記球技用捕球用具は、捕球袋１の捕球口５が、これに沿った４つの取付筒部７〜１０に通した保形フレーム２および補助フレーム３によって環状に保持されているので、グリップ４を片手で把持して捕球口５を打球や送球の球筋に向けて構えるだけで、野球用やソフトボール用の皮革と詰め物よりなる既存のグラブやミットのようにボールが入ったときにタイミングよく閉じる操作を行うことなしに、グリップ４を把持した手の直ぐ先で捕球袋１内にボールを実感良く受け入れることができ、且つ既存のグラブやミットに比し十分にソフトな捕球袋１内でボールの勢いを吸収して反発なく安定に捕球することができ、受け入れたボールをグリップ４を握った直ぐ先にある開いたままの捕球口５から他方の手で容易に握って自由に送球することができる。
【００２６】
また、捕球袋１は、保形フレーム２と補助フレーム３とによって捕球口５が環状に保持されているだけであるから、保形フレーム２を中心として捕球袋１が保形フレーム２の一面側で捕球する位置と他面側で捕球する位置との間で反転されて、保形フレーム２の一面側および他面側の別なく同じ条件での捕球ができ、しかも、この捕球袋１の向きの反転は捕球者が行わなくても捕球するボールの勢いによって自然になされるので、既存のグラブやミットのように手表裏を反転させることなく、グリップ４を把持した片手を身体の左側に振るか、右側に振るかだけで自在に行える。したがって、各種球筋のボールを捕球したり、捕球したボールを他へ送球したりするのに、既存のグラブやミットを使う場合よりも操作が格段に容易で、熟練なしに行える。そのため、この球技用捕球用具は、安全性の高い超軟質ボールと組み合わせることにより、幼児や婦女子あるいは老人や身体障害者などが特に練習せずに行う遊びやゲームに適し、幼児からシニアまでの幅広い範囲に適用されるゲームを構成することができる。
【００２７】
特に、上記球技用捕球用具では、前側取付筒部７が保形フレーム２の拘束凹部１８に嵌まり込んで動かないように規制され、且つ後側取付筒部１０が補助フレーム３のゴムチューブ４２により動きを規制されているので、捕球袋１はグリップ４の延長上の前後位置で捕球口５が型崩れしないように確実に保持されていながら、左右両側の取付筒部８，９が保形フレーム２に沿って或る程度自由に動くことが可能になっている。
【００２８】
したがって、図７に示すように、超軟質ボール４４が下向きの球筋Ｄで捕球口５から捕球袋１内に入ってきた場合には、同図に実線で示すように、左右両側の取付筒部８，９が保形フレーム２に沿って滑りながら左右両側の位置規制凹部１９，２０から食み出してグリップ４寄りに若干変位することにより、捕球袋１の底部がグリップ４寄りに偏る形状に変形しながら超軟質ボール４４を保形フレーム２の外側へ潜らせるようにして、超軟質ボール４４をこれの勢いを吸収して反発させることなく安定に受け止めることができる。
【００２９】
また、捕球袋１が上記の実線の形状に変形した状態において、同図に仮想線で示すように、超軟質ボール４４が上向きの球筋Ｕで捕球口５から捕球袋１内に入ってきた場合には、左右両側の取付筒部８，９が保形フレーム２に沿って滑りながら左右両側の位置規制凹部１９，２０に対し反グリップ４寄りに変位することにより、捕球袋１の底部が反グリップ４寄りに偏る形状に変形しながら超軟質ボール４４を保形フレーム２の外側へ潜らせるようにして、やはり超軟質ボール４４をこれの勢いを吸収して反発させることなく安定に受け止めることができる。このとき、上方へ変位する捕球袋１は、左右両側の取付筒部８，９が左右両側の位置規制凹部１９，２０の端部に当接した時点で止められる。
【００３０】
すなわち、捕球袋１は、捕球口５から受け入れる超軟質ボール４４の球筋Ｄ，Ｕに対応して左右両側の取付筒部８，９が保持フレーム部２ａに沿って滑りながら変位することにより、超軟質ボール４４を受け止め易い形状に変形するにも拘わらず、向きが互いに逆の球筋Ｄ，Ｕの超軟質ボール４４の受け入れを繰り返すことにより、使用時において左右両側の取付筒部８，９が保形フレーム２の左右両側の位置規制凹部１９，２０内に自然と納まるように或る程度の位置規制がなされるので、捕球袋１の変形をその都度修正する操作を行わなくても、捕球袋１が常にほぼ適正な形状を保持する。これにより、捕球袋１の捕球口５は、使用する超軟質ボール４４の形状に対し比較的大きく設定して受け入れ確率を高めるようにしても、反発による超軟質ボール４４の飛び出しが生じず、捕球確率が向上する。
【００３１】
また、捕球袋１は、ソフトな材質で形成されているから、超軟質ボール４４を捕球するものであるといっても長期間の使用によって劣化や損傷が生じるので、新たなものに交換する必要が生じる。この球技用捕球用具では、捕球袋１の交換を極めて容易、且つ迅速に行うことができるとともに、この捕球袋１を保持する保形フレーム２および補助フレーム３をグリップ４に抜脱するおそれなく強固に連結できる構成になっている。この構成について、以下に説明する。
【００３２】
すなわち、劣化または損傷した捕球袋１の取り外しに際しては、先ず、固定ボルト３０を、ナット４７（図４）との螺合を解除したのちに、円筒ボス３２および挿通孔部３１から抜脱し、蓋片２９をこれの一対の係止爪２９ａ，２９ｂを係止孔３９から抜脱してグリップ４から取り外せば、一対のグリップ半体２３，２４の結合が解除されるので、捕球袋１を保持する保形フレーム２および補助フレーム３がグリップ４から外れる。そして、捕球袋１は、左右両側の取付筒部８，９および前側取付筒部７を保形フレーム２の保持フレーム部２ａから抜き出すとともに、後側取付筒部１０を補助フレーム３から抜き出すことにより、取り外すことができる。
【００３３】
つぎに、新たな捕球袋１は、これの左右両側の取付筒部８，９および前側取付筒部７に保形フレーム２を順次挿通させるとともに、後側取付筒部１０に補助フレーム３を挿通させることにより、保形フレーム２および補助フレーム３に取り付ける。続いて、図５に示すように、保形フレーム２の一対の連結フレーム部２ｂ，２ｃを、一方の固定具２８が嵌合孔２４ａに嵌入して固定された一方のグリップ半体２４の導入部３３に挿入し、且つ連結フレーム部２ｂ，２ｃの係合凹所２１，２２を固定具２８の角筒リブ２８ｂに対しこれを両側から挟み込む配置で係合させるとともに、補助フレーム３を、グリップ半体２４の円筒ボス３２に引っ掛ける配置で導入部３３内に挿入する。
【００３４】
続いて、他方の固定具２７を、一方の固定具２８の角筒リブ２８ｂによって位置規制された保形フレーム２の一対の連結フレーム部２ｂ，２ｃの各々の係合凹所２１，２２間に、自体の角筒リブ２７ｂを嵌入させるようにして、一対の連結フレーム部２ｂ，２ｃ上に被せる配置で載置する。この状態で、他方のグリップ半体２３を、これの嵌合孔２３ａ内に他方の固定具２７の外面側を嵌入させて、これの係止段部２７ａが嵌合孔２３ａの内面側孔縁部に嵌合するようにして他方のグリップ半体２４上に被せると、図６に示すように、他方のグリップ半体２３の段差部３７と一方のグリップ半体２４の段差部３８とが嵌合し、且つ他方のグリップ半体２３の挿通孔部３１が一方のグリップ半体２４の円筒ボス３２に相互に合致した配置で接触する。
【００３５】
最後に、固定ボルト３０を、挿通孔部３１側から円筒ボス３２に挿通させて、ナット４７に螺合して締結することにより、一対のグリップ半体２３，２４は、捕球袋１寄りの個所で固定ボルト３０とナット４７とで相互に固定される。さらに、蓋片２９の一対の係止爪２９ａ，２９ｂを両グリップ半体２３，２４の各々の端壁３４の係止孔３９に係入することにより、一対のグリップ半体２３，２４は、捕球袋１とは反対側の個所で相互に結合される。これにより、捕球袋１を保持する保形フレーム２の一対の連結フレーム部２ｂ，２ｃは、一対のグリップ半体２３，２４により両側から挟持固定されるとともに、各々の係合凹所２１，２２が各グリップ半体２３，２４の角筒リブ２７ｂ，２８ｂに係合し、且つ連結フレーム部２ｂ，２ｃが角筒リブ２７ｂ，２８ｂとグリップ半体２３，２４とで両側から挟持されていることによって上記係合の解除が確実に防止されることにより、保形フレーム２がグリップ４に対し抜け止め防止状態で強固に連結される。
【００３６】
一方、補助フレーム３は、挿通孔部３１と円筒ボス３２とにより抜け止め防止された状態で、一対の固定具２７，２８の各々の導入溝部４０内に嵌まり込んだ配置で挟持固定され、グリップ４に抜け止め防止状態で強固に連結される。このように、捕球袋１を保持する保形フレーム２および補助フレーム３は、容易に分解および組み立てできるグリップ４に対し挟み込まれる形態で、且つ確実な抜け止め状態で強固に連結されるので、捕球袋１の交換作業を極めて簡単な作業で迅速に行うことができる。
【００３７】
なお、上記実施の形態では、捕球袋１を、帯状布１１と、通気部１４を形成した矩形状布１２とを直交する配置で組み合わせた構成としたが、上記矩形状布１２に代えて、帯状布１１と同様の帯状布を２枚用意して、これら２枚の帯状布の両端部をそれぞれ縫合により連結したものを用いてもよい。この場合には、２枚の帯状布の間に、上記実施の形態の通気部１４よりも大きな通気部を形設することができ、超軟質ボール４４を好適に受け止めることができる。
【００３８】
さらに、図８に示すように、捕球袋４５は、グリップ４の延長上に沿って配置した１枚の帯状布１１と、互いに平行に配置した２枚の帯状布４８，４９とを直交させて、その帯状布４８，４９の両端部を折り返して縫合してなる取付筒部５０，５１に保形フレーム２を挿通して帯状布４８，４９を保持する構成としてもよい。この捕球袋４５は、保形フレーム２の左右両側の位置規制凹部１９，２０に対しそれぞれ２つずつの取付筒部５０，５１が保持されるので、捕球する超軟質ボール４４の球筋に応じて捕球袋４５が一層柔軟に変形できるとともに、使用中において両取付筒部５０，５１が取付筒部５０，５１内に戻り易い利点がある。
【００３９】
なお、上記各実施の形態では、グリップ４を一対のグリップ半体２３，２４と一対の固定具２７，２８との組み合わせにより構成したが、固定具２７，２８と各グリップ半体２３，２４とを一体形成してもよく、そのようにした場合には、部品点数が減少してグリップの分解および組み立てが一層容易となる。また、上記実施の形態では、捕球袋１，４５における前側取付筒部７を、帯状布１１とは別体の補強布を二つ折りにして、この補強布を拘束凹部１８が圧入する小さな断面形状になるよう縫い合わせて形成したが、捕球袋１における補助フレーム３に対向する前側部分は、保形フレーム２に動かないように固定すれば足りるので、縛り付けるなどの結合手段で保形フレーム２に固着してもよい。この結合手段を採用する場合には、保形フレーム２に拘束凹部１８を形成する必要がない。
【００４０】
【発明の効果】
以上のように本発明の球技用捕球用具によれば、捕球袋が、固定部を介して保形フレームに固定されて捕球口が型崩れしないように確実に保持されていながら、固定部の両側の取付筒部が保形フレームに沿って或る程度自由に動くことが可能になっているので、捕球袋が、捕球口から受け入れるボールの球筋に対応して両側の取付筒部が保形フレームに沿って滑りながら変位することにより、ボールを受け止め易い形状に変形するにも拘わらず、向きが互いに逆の球筋のボールの受け入れを繰り返すことにより、使用時において両側の取付筒部が両側の位置規制凹部内に自然と納まるように或る程度の位置規制がなされるので、捕球袋の変形をその都度修正する操作を行わなくても、捕球袋が常にほぼ適正な形状を保持する。これにより、捕球袋の捕球口は、使用するボールの形状に対し比較的大きく設定して受け入れ確率を高めるようにしても、反発によるボールの飛び出しが生じず、捕球確率が向上する。
【図面の簡単な説明】
【図１】本発明の一実施の形態に係る球技用捕球用具を示す一部破断した斜視図。
【図２】同上の球技用捕球用具の一部破断した側面図。
【図３】同上の球技用捕球用具の一部破断した平面図。
【図４】同上の球技用捕球用具のグリップの部分の分解斜視図。
【図５】同上のグリップの一方のグリップ半体を除外して示した平面図。
【図６】（ａ）は同上のブリップの部分の切断側面図、（ｂ）は（ａ）のＡ−Ａ線断面図。
【図７】同上の球技用捕球用具における捕球すべきボールの球筋の相違に対応した捕球袋の変形を示す側面図。
【図８】本発明の一実施の形態に係る球技用捕球用具を示す側面図。
【符号の説明】
１，４５  捕球袋
２  保形フレーム
２ｂ，２ｃ  連結フレーム部
４  グリップ
５  捕球口
７  前側取付筒部（固定部）
８，９，１０，５０，５１  取付筒部
１９，２０  位置規制凹部
２１，２２  係合凹所（係合部）
２３，２４  グリップ半体
２７ｂ，２８ｂ  角筒リブ（係止部）
４４  超軟質ボール（ボール）
【図１】
2004329674.tif 000003
【図２】
2004329674.tif 000004
【図３】
2004329674.tif 000005
【図４】
2004329674.tif 000006
【図５】
2004329674.tif 000007
【図６】
2004329674.tif 000008
【図７】
2004329674.tif 000009
【図８】
2004329674.tif 000010